(57)【要約】【課題】  ペイント商品の販売促進に特化した装備及び機能を有するスペースであり、同時にペイント実演用の見本として利用されるペイントコンビニエンス・スペースを提供する。【解決手段】  （１）１個の独立した部屋、幾つかの部屋の集合体、又は、比較的小規模な家屋ないしは小屋としての構成及び外観を備えるスペース体であり、（２）スペース体の内部には、ペイント商品のディスプレイエリア及びペイントの調合機が設けられ、かつ、ペイントコンサルティング要員が配置されており、（３）スペース体を構成する外部壁面、内部壁面、内部床面及び内部天井面の一部又は全部が、これらの壁面、床面又は天井面に対して容易に取付け／取外し可能に組込まれたペイント実演用の適当なサイズの板材又はシート材によって構成されている、ペイントコンビニエンス・スペース。【選択図】          図１
2005042383.tif 000002
【特許請求の範囲】
【請求項１】
以下の（１）〜（３）の条件を備えることを特徴とするペイントコンビニエンス・スペース。
（１）１個の独立した部屋、幾つかの部屋の集合体、又は、比較的小規模な家屋ないしは小屋としての構成及び外観を備えるスペース体である。
（２）前記スペース体の内部には、少なくとも、ペイント商品のディスプレイエリア及びペイントの調合機が設けられ、かつ、ペイントコンサルティング要員が配置されている。
（３）前記スペース体を構成する外部壁面、内部壁面、内部床面及び内部天井面の一部又は全部が、これらの壁面、床面又は天井面に対して容易に取付け／取外し可能に組込まれたペイント実演用の適当なサイズの板材又はシート材によって構成されている。
【請求項２】
前記スペース体が、組立て及び解体の容易な簡易組立てハウス方式に構成されていることを特徴とする請求項１に記載のペイントコンビニエンス・スペース。
【請求項３】
前記スペース体が、移動可能な車両上に構成されていることを特徴とする請求項１又は請求項２に記載のペイントコンビニエンス・スペース。
【請求項４】
前記スペース体が、適当な商用環境の地面上又は床面上に組立てられていることを特徴とする請求項１又は請求項２に記載のペイントコンビニエンス・スペース。
【請求項５】
前記スペース体の内部には、更に、ペイント実演用被塗装物、塗装器具、接客用の各種表示手段の少なくとも一種が配置されていることを特徴とする請求項１〜請求項４のいずれかに記載のペイントコンビニエンス・スペース。
【請求項６】
以下の（４）〜（６）のプロセスを含むことを特徴とするペイントの対面販売方法。
（４）適当な商用スペースに設置した請求項１〜請求項５のいずれかに記載のペイントコンビニエンス・スペースにペイント消費者を誘致し、前記ペイントコンサルティング要員がペイント消費者の意見又は要望を聴取する。
（５）上記（４）の聴取結果に基づき、ペイントコンサルティング要員が前記ペイント商品のディスプレイエリアに陳列されたペイント商品を取捨選択し、前記ペイントの調合機によりペイントを調色する。
（６）調色されたペイントを、前記板材又はシート材の一部又は全部に塗布し、あるいは前記スペース体の内部に配置されたペイント実演用被塗装物の少なくとも一種に塗布するペイント実演を行い、ペイント消費者の納得を得たもとで、ペイント商品の販売促進を行う。
【請求項７】
前記（４）〜（６）のプロセスにおいて、ペイントコンサルティング要員が、ペイント消費者に対して、更に専門家としての適宜なアドバイスを与えることを特徴とする請求項６に記載のペイントの対面販売方法。
【請求項８】
前記ペイントの対面販売方法を、（ａ）ホームセンターの駐車場に設置された移動可能な車両上に構成されている前記ペイントコンビニエンス・スペース、（ｂ）ホームセンターの駐車場の地面上又は床面上に組立てられているペイントコンビニエンス・スペース、（ｃ）ホームセンターの店舗内の地面上又は床面上に組立てられているペイントコンビニエンス・スペース、のいずれかにおいて行うことを特徴とする請求項６又は請求項７に記載のペイントの対面販売方法。
【発明の詳細な説明】
【技術分野】
【０００１】
本発明はペイントコンビニエンス・スペース及びこれを利用するペイントの対面販売方法に関する。更に詳しくは、本発明はペイント商品の販売促進に特化した装備及び機能を有するスペースであると同時に、当該スペースの構成要素自体がペイント実演用の見本として利用されるペイントコンビニエンス・スペースと、これを活用したペイントの対面販売方法に関する。
【背景技術】
【０００２】
我が国における近年のライフスタイルの欧米化に伴い、「 Do it yourself 」のフレーズ等に示されるように、自宅の家屋やその備品に対する個性的なペインティングを自ら行って楽しむような傾向が現れて来ている。
【０００３】
従って、ペイント商品についての消費者の上記傾向を十分に踏まえ、消費者に対してフレンドリーで、かつ消費者の需要を正確にキャッチし、しかも潜在需要を喚起できるようなペイント商品の販売促進方法が求められている。
【発明の開示】
【発明が解決しようとする課題】
【０００４】
しかしながら我が国においては、一般消費者向けのペイント商品を例えばホームセンター等の商品陳列棚に他種商品と横並びに展示し、来客による購入を単に受動的に待っているだけの状態が通常である。
【０００５】
ペイント商品及びペインティングについての社会状況が異なる欧米等の一部においては、例えばペイント商品の対面販売を行ったり、ペイント商品販売専用の独立のディスプレイエリアを設けたりする事例も認められるが、必ずしも合理的かつ効果的な販売促進方法が完成されているとは言えない。
【０００６】
本願発明者は、ペイント商品についてのユーザーフレンドリーでしかも販売促進及び需要喚起の効果が顕著な新規販売促進方法を研究する過程で、ペイント商品のディスプレイ、コンサルティング、対面販売、及びペイント実演を連続的に一貫して行える独立したスペース体を構成すること、及び、このようなスペース体を消費者の居住空間の形態に構成しスペース体自体をペイント実演の対象物とすることに想到した。
【課題を解決するための手段】
【０００７】
（第１発明の構成）
上記課題を解決するための本願第１発明の構成は、以下の（１）〜（３）の条件を備える、ペイントコンビニエンス・スペースである。
（１）１個の独立した部屋、幾つかの部屋の集合体、又は、比較的小規模な家屋ないしは小屋としての構成及び外観を備えるスペース体である。
（２）前記スペース体の内部には、少なくとも、ペイント商品のディスプレイエリア及びペイントの調合機が設けられ、かつ、ペイントコンサルティング要員が配置されている。
（３）前記スペース体を構成する外部壁面、内部壁面、内部床面及び内部天井面の一部又は全部が、これらの壁面、床面又は天井面に対して容易に取付け／取外し可能に組込まれたペイント実演用の適当なサイズの板材又はシート材によって構成されている。
【０００８】
なお、本願の各発明において、「ペイント実演」とは、ペイントコンサルティング要員によるペイントの実演に限定されず、その他にも、顧客等によるペイントの実習も含む概念である。
【０００９】
（第２発明の構成）
上記課題を解決するための本願第２発明の構成は、前記第１発明に係るスペース体が、組立て及び解体の容易な簡易組立てハウス方式に構成されている、ペイントコンビニエンス・スペースである。
【００１０】
（第３発明の構成）
上記課題を解決するための本願第３発明の構成は、前記第１発明又は第２発明に係るスペース体が、移動可能な車両上に構成されている、ペイントコンビニエンス・スペースである。
【００１１】
（第４発明の構成）
上記課題を解決するための本願第４発明の構成は、前記第１発明又は第２発明に係るスペース体が、適当な商用環境の地面上又は床面上に組立てられている、ペイントコンビニエンス・スペースである。
【００１２】
（第５発明の構成）
上記課題を解決するための本願第５発明の構成は、前記第１発明〜第４発明のいずれかに係るスペース体の内部には、更に、ペイント実演用被塗装物、塗装器具、接客用の各種表示手段の少なくとも一種が配置されている、ペイントコンビニエンス・スペースである。
【００１３】
ここにおいて、「ペイント実演用被塗装物」としては、家具調度品、室内用の遊具、犬小屋、試し塗り用の下地板又はシート等が例示される。又、「接客用の各種表示手段」としては、ペイント実演（実習）の待ち時間や待ち順の表示装置又は表示具、実習の順番カードの発行機、調色待ち時間の表示装置又は表示具等が例示される。
【００１４】
（第６発明の構成）
上記課題を解決するための本願第６発明の構成は、以下の（４）〜（６）のプロセスを含む、ペイントの対面販売方法である。
（４）適当な商用スペースに設置した第１発明〜第５発明のいずれかに係るペイントコンビニエンス・スペースにペイント消費者を誘致し、前記ペイントコンサルティング要員がペイント消費者の意見又は要望を聴取する。
（５）上記（４）の聴取結果に基づき、ペイントコンサルティング要員が前記ペイント商品のディスプレイエリアに陳列されたペイント商品を取捨選択し、前記ペイントの調合機によりペイントを調色する。
（６）調色されたペイントを、前記板材又はシート材の一部又は全部に塗布し、あるいは前記スペース体の内部に配置されたペイント実演用被塗装物の少なくとも一種に塗布するペイント実演を行い、ペイント消費者の納得を得たもとで、ペイント商品の販売促進を行う。
【００１５】
（第７発明の構成）
上記課題を解決するための本願第７発明の構成は、前記第６発明に係る（４）〜（６）のプロセスにおいて、ペイントコンサルティング要員が、ペイント消費者に対して、更に専門家としての適宜なアドバイスを与える、ペイントの対面販売方法である。
【００１６】
（第８発明の構成）
上記課題を解決するための本願第８発明の構成は、前記第６発明又は第７発明に係るペイントの対面販売方法を、（ａ）ホームセンターの駐車場に設置された移動可能な車両上に構成されている前記ペイントコンビニエンス・スペース、（ｂ）ホームセンターの駐車場の地面上又は床面上に組立てられているペイントコンビニエンス・スペース、（ｃ）ホームセンターの店舗内の地面上又は床面上に組立てられているペイントコンビニエンス・スペース、のいずれかにおいて行う、ペイントの対面販売方法である。
【発明の効果】
【００１７】
（第１発明の効果）
第１発明においては、ペイントコンビニエンス・スペースにおいて、ペイント商品の販売促進に必要又は有益なペイント商品のディスプレイ、コンサルティング、対面販売、及び消費者に対する実演の全てを連続的に一貫して行える。
【００１８】
次に、これらの販売促進活動を効果的に行うためのスペース体を、空間的に独立した形態の、しかも消費者が通常に居住する部屋又は家屋等の構成及び外観としている。このため、スペース体がアットホームな雰囲気の空間となって消費者に対する非常に高い誘致効果を発揮する。
【００１９】
更に、スペース体自体の壁面等がペイント実演用の適当なサイズの板材又はシート材によって構成されており、かつこれらの板材又はシート材が壁面等に対して容易に取付け／取外し可能である。このため、スペース体に誘致した消費者の目の前で直ちに、各種のスケールのペインティングの実演を行える。即ち、１個の板材等に対するペインティングの実演、壁面等の全面に対するペインティングの実演、必要な場合には家屋全体に対するペインティングの実演をも、簡単に行うことができる。
【００２０】
加えて、壁面等の全面や家屋全体等に対する大スケールのペインティングの実演を繰り返したい場合でも、壁面やスペース体の全体を取り替える必要はなく、ペイント実演用の板材又はシート材等を更新するだけで足りる。
【００２１】
（第２発明の効果）
第２発明においては、特定の商用環境へのペイントコンビニエンス・スペースの設置及び撤去、他の特定の商用環境への移設を極めて容易にかつ迅速に行うことができる。この利点は、ペイントコンビニエンス・スペースが任意の商用環境の地面上や床面上に組立てられ、それ自体として移動性を有しない場合に、とりわけ顕著である。
【００２２】
（第３発明の効果）
第３発明のペイントコンビニエンス・スペースは、移動性があるため、これを特定の商用環境から他の商用環境へ移動させたい場合に便利である。又、郊外型の比較的大規模な屋外駐車場を持つホームセンターやスーパーマーケット等の駐車場を利用してペイント商品の販売促進活動を行う場合等に好適である。
【００２３】
（第４発明の効果）
第４発明のように、適当な商用環境の地面上又は床面上に組立てられているペイントコンビニエンス・スペースは、その商用環境の選択次第で、非常に大きな顧客（ペイント商品の消費者）誘致効果を発揮する。顧客誘致効果の大きい商用環境として、大型ホームセンターの店舗内（屋内）にスペース体を設置する場合、比較的大規模な屋外駐車場を持つホームセンターやスーパーマーケット等における当該駐車場にスペース体を設置する場合、等が例示される。
【００２４】
（第５発明の効果）
第５発明のペイントコンビニエンス・スペースにおいては、スペース体の内部に家具調度品、室内用の遊具等のペイント実演用の被塗装物が配置されているため、スペース体のアットホームな雰囲気が一層増幅されると共に、家具調度品用や室内遊具用のペイント商品に対する実演を伴うコンサルティングや対面販売も可能になる。
【００２５】
（第６発明の効果）
前記したように、ペイント商品の販売に関しては一般消費者向けのペイント商品を店舗の商品陳列棚に単に展示するだけの状態が通常であるが、一方で、近年のライフスタイルの変化に伴い、ペイント商品の消費者は、自宅等の個性的なペインティングを自ら行いたいとの要求を持っている。
【００２６】
このような消費者の要求を踏まえ、消費者に対してフレンドリーで、その需要を正確にキャッチし、しかも潜在需要を喚起できるペイント商品の販売促進を行うためには、ペイント商品のディスプレイ、ペイントコンサルティング、対面販売、及びペイント実演を連続的に一貫して行うことが重要である。第６発明に係るペイントの対面販売方法においては、ペイントコンビニエンス・スペースを利用して、このような販売促進活動を効率的に行うことができる。
【００２７】
即ち、上記（４）のプロセスでは、ペイント専門家であるペイントコンサルティング要員がペイント消費者の意見又は要望を聴取することにより、その需要を正確にキャッチできる。従って、消費者の望むペイント商品の種類、又はペイント商品の組み合わせを正確に決定できる。更に、これらの前提として、ペイントコンビニエンス・スペースの外観や形態がペイント消費者を誘致する効果が大きいことは、前記した通りである。
【００２８】
次に、上記（５）のプロセスでは、ペイントコンサルティング要員が陳列されたペイント商品を取捨選択して調合機によりペイントを調色するので、消費者は要求に正確に合致した色具合のペイントを調色する要領をその場で習得できるし、そのような調色ペイントをその場で手にすることができる。
【００２９】
更に、上記（６）のプロセスでは、ペイントコンビニエンス・スペース自体の構成材料又は備品類を用いて、消費者が希望しているようなペイント実演を直ちに行い、その効果を確認できる。このペイント実演は、ペイントコンサルティング要員が行っても良いし、ペイントコンサルティング要員の有益な指導下に消費者に行なわせても良い（ペイント実習）。
【００３０】
ペイント実習を含むペイント実演においては、例えばペイントの品種や色の選択を消費者自身に決定させることで参画意識を持たせ、購入するペイント商品への責任を自ら感じさせ、自ら積極的にペインティングを志向させると言うメリットも期待できる。
【００３１】
以上の（４）〜（６）のプロセスを経て、ペイント消費者の十分な納得を得たもとで、選択された所定のペイント商品が販売される。前記（５）における調色ペイントをそのまま販売しても良い。
【００３２】
（第７発明の効果）
第７発明のペイントの対面販売方法においては、上記（４）〜（６）のプロセスの任意のステージにおいてペイントコンサルティング要員がペイントコンサルティングを行い、ペイント消費者に商品知識を伝達したり、その消費者の要求に合致したペイント商品の選択やその調色法ないし利用法をアドバイスしたりするため、ユーザーフレンドリーであり、かつ、場合によっては、ペイント商品に対する消費者の潜在需要を喚起することもできる。
【００３３】
（第８発明の効果）
ペイントコンビニエンス・スペースを如何なる商用環境に設置してペイントの対面販売を行うかは、その方式を有効に行い得る場所である限りにおいて限定されないのであるが、本願発明者は、特に有望な商用環境の一つとして、日用雑貨全般を取揃えて販売している、いわゆる「ホームセンター」を考えている。
【００３４】
今日の我が国においても、塗装業者等が塗料専門店でペイント商品を購入するような特殊な場合は別として、一般の需要者はホームセンターで塗料を購入するのが通常である。又、ホームセンターへの来客は、他種商品の購入が来場目的であったとしても、ペイント商品に対する潜在需要を持っている場合が多い。更に、ペイントコンビニエンス・スペースの設置にはある程度の面積を必要とするところ、ホームセンターは一般的に郊外型であって大型店舗と大面積の駐車場とを備える場合が多い。
【００３５】
従って、第８発明の（ａ）〜（ｃ）のいずれかの態様において、ホームセンターの店舗又は駐車場を利用してペイントコンビニエンス・スペースを設置し、そこでペイントの対面販売方法を行うことは極めて有効である。
【発明を実施するための最良の形態】
【００３６】
次に、本願の第１発明〜第８発明を実施するための形態を、その最良の形態を含めて説明する。以下において、単に「本発明」と言う時は、本願の各発明を一括して指している。
【００３７】
〔ペイントコンビニエンス・スペース〕
本発明に係るペイントコンビニエンス・スペースは、空間的に独立した形態を有する中空のスペース体である。このスペース体は、１個の独立した部屋、例えば通常の住宅の居間、寝室、ダイニングルームあるいは通常のオフィスの事務室としての構成及び外観を持つことができる。又、このスペース体は、上記した各種の部屋の幾つかの集合体としての構成及び外観を持つこともできる。更に、このスペース体は、比較的小規模な洋風又は和風の家屋ないしは小屋としての構成及び外観を持つこともできる。
【００３８】
ペイントコンビニエンス・スペースの大きな特徴点は、スペース体を構成する外部壁面、内部壁面、内部床面及び内部天井面の一部又は全部が、これらの壁面、床面又は天井面に対して容易に取付け／取外し可能に組込まれたペイント実演用の適当なサイズの板材又はシート材によって構成されている点である。
【００３９】
スペース体は、本格的な設計に基づいて堅牢に構成された部屋、家屋、小屋等であっても良いが、組立て、解体及び移設の便宜を考慮して、組立て及び解体の容易な簡易組立てハウス方式に構成されていることも好ましい。
【００４０】
又、スペース体は、移動可能な車両上に構成されていても良く、適当な商用環境の地面上又は床面上に組立てられていても良い。移動可能な車両上に構成されている場合として、スペース体自体が移動可能な車両となっているトレーラーハウスの形態、スペース体があたかもコンテナのように牽引車両の荷台上に搭載されている形態、等を例示することができる。スペース体が適当な商用環境の地面上又は床面上に組立てられている場合として、任意の各種大型店舗の屋内売り場スペースの床面上にスペース体が組立てられる場合、任意の各種店舗の屋外スペース（駐車場、付設グラウンド等）の地面上にスペース体が組立てられる場合、等を例示することができる。
【００４１】
スペース体の内部には、少なくとも、ペイント商品のディスプレイエリアが設定され、ペイントの調合機が設けられ、かつ、ペイントコンサルティング要員が配置されている。その他にも、スペース体の内部には、接客用の応接エリアもしくは接客カウンターや、一般的な事務机及び事務機器類と電話機やファクシミリ等を配置した事務処理エリア、ペイント実演を行うための実演エリア等を必要に応じて任意に設定することができる。
【００４２】
更に、スペース体の内部には、アットホームな雰囲気を演出したり、ペイント実演のサンプルとして使用したりするのに有用であるような各種のペイント実演用被塗装物（家具調度品、室内用の遊具、犬小屋、試し塗り用の下地板又はシート等）や塗装器具、あるいは顧客サービスの向上につながる接客用の各種表示手段（ペイント実演の待ち時間や待ち順の表示装置又は表示具、実習の順番カードの発行機、調色待ち時間の表示装置又は表示具等）の少なくとも一種を配置することも好ましい。
【００４３】
〔ペイント商品のディスプレイエリア〕
ペイント商品のディスプレイエリアにおいては、陳列棚等を用いて、多種多様なペイント商品やそれらのパンフレット、取り扱い説明書、ペイントメーカーの会社案内、ペイントに関する技術説明書等を展示することができる。又、ペインティングに必要な塗装具類やその取り扱い説明書も、併せて展示・販売することができる。
【００４４】
又、ペイント商品のディスプレイエリアにおいては、カラーチップ、カラーカードあるいはカラーテャートの販売や貸し出しを行うことにより、消費者が実際にペインティングを行う場所（例えば、自宅）での確認ができるようにすることも可能である。「カラーチップ」とは、単一あるいは複数の色見本の小片を言う。「カラーカード」とは、単一あるいは複数の色見本を並べた色見本の小票を言う。「カラーテャート」とは、複数のカラーカードの総称、あるいは複数のカラーカードを一綴りにしたものを言う。
【００４５】
〔ペイントの調合機〕
ペイントコンビニエンス・スペースにおいてペイント実演を行うために、その前提条件として、ペイントの調色を行うための調合機を設置することが、極めて好ましい。調合機としては必ずしも本格的な大型機を設置する必要はなく、例えば、少なくともディスペンサーとミキサーとを備えた比較的簡易な小型調合機で十分である。
【００４６】
ミキサーとしてはペイント缶内で混合できる方式のものがより好ましく、このような方式のものとして、ジャイロミキサー、バイブレーション式ミキサー、シェーカー式ミキサー等を例示できる。
【００４７】
〔ペイントコンサルティング要員〕
ペイントコンビニエンス・スペースには、ペイントに関する各種の専門知識を持つペイントコンサルティング要員を配置することが有効である。ペイントコンサルティング要員の職務として、少なくとも、ペイント消費者の意見又は要望の聴取、ペイント消費者に対するペイントコンサルティングが挙げられる。
【００４８】
又、本発明において、「ペイントコンサルティング」とは、いわゆる「カラーコンサルティング」を含む概念である。即ち、ペイントコンサルティング要員の職務には、内装／外装のペインティングにおける色の選択、配色についての指導や助言を含むことができる。
【００４９】
その他にも、ペイントコンビニエンス・スペースにペイント消費者を誘致すること（呼び込み）、ペイントの調合、ペインティングの実演、更には、ペイント消費者に対するペイント商品の販売とそれに伴う経理処理、等もペイントコンサルティング要員の職務として期待される。上記のペイント消費者の誘致や、ペイント商品の販売業務は、ペイントコンサルティング要員とは異なる要員に行わせても良い。
【００５０】
更に、ペイントコンサルティング要員は、消費者が自らペインティングを行うための指導、助言、協力を行うことができる。更に、ペイントコンビニエンス・スペースが行う上記以外のサービスとして、調色注文を受けたペイントの配達サービスも含まれ得る。
【００５１】
〔ペイント実演用の板材又はシート材〕
前記したペイント実演用の板材又はシート材は、スペース体の外部壁面、内部壁面、内部床面及び内部天井面の一部又は全部を構成するものであり、かつこれらの壁面、床面又は天井面に対して容易に取付け／取外し可能に組込まれたものである。
【００５２】
例えば、スペース体における外部壁面、内部壁面、内部床面及び内部天井面等の骨格は所定のフレーム構造により堅固に構成され、これらのフレーム構造に対して壁面材に相当するペイント実演用の板材又はシート材が嵌込み式に取付け／取外しされる方式であっても良い。
【００５３】
又、スペース体における外部壁面、内部壁面、内部床面及び内部天井面等は所定のフレーム構造及び壁面材により堅固に構成され、これらの壁面材上に、表層材に相当するペイント実演用の板材又はシート材が取付け／取外しされる方式であっても良い。この場合、板材又はシート材は、接着力の弱い接着手段（例えば、両面接着テープの利用、接着力の弱い接着剤の使用）により、壁面材に対して取付け／取外し可能とすることができる。
【００５４】
〔ペイントの対面販売方法〕
本発明に係るペイントの対面販売方法は、以下の第１〜第３のプロセスを含む点に特徴がある。なお、これらのプロセスのいずれかにおいて、ペイントコンサルティング要員が、ペイント消費者に対して、更に専門家としての適宜なアドバイスを与える（ペイントコンサルティングを行う）ことも極めて好ましい。このペイントコンサルティングの内容は多種多様にわたり、一律に規定できない。
【００５５】
（第１のプロセス）
このプロセスでは、適当な商用スペースに設置したペイントコンビニエンス・スペースにペイント消費者を誘致し、ペイントコンサルティング要員がペイント消費者の意見又は要望を聴取する。ペイント消費者を誘致そのものは、ペイントコンビニエンス・スペースが設置された商用環境においてその誘致活動を積極的に行っても良いし、ペイントコンビニエンス・スペースに関心を引かれてペイント消費者が自発的にスペース体に入室して来るのを待っても良い。
【００５６】
ペイント消費者の意見又は要望の聴取は任意に行えば良いが、その内容としては、例えば、ペイント消費者が考えているペインティングの内容（例えば、「被塗物の種類と材質」、「仕上げの色具合又はイメージ」、「使用したいペイントが油性塗料か水性塗料か」等）、ペイント消費者が求めているペインティングの知識（例えば、「ペイント商品の種類」、「ペイント調合の要領」、「塗布方法と塗布手段」等）を挙げることができる。
【００５７】
（第２のプロセス）
このプロセスでは、上記の聴取結果に基づき、ペイントコンサルティング要員がペイント商品のディスプレイエリアに陳列されたペイント商品を取捨選択し、ペイントの調合機によりペイントを調色する。
【００５８】
（第３のプロセス）
このプロセスでは、上記の調色されたペイントをペイント実演用の板材又はシート材の一部又は全部に塗布し、あるいはペイントコンビニエンス・スペースに配置した家具調度品や室内用遊具等の備品類に塗布するペイント実演を行い、ペイント消費者の納得を得たもとで、ペイント商品の販売促進を行う。
【００５９】
〔対面販売方法の実施場所〕
本発明に係るペイントの対面販売方法は、要するに前記のペイントコンビニエンス・スペースが設置された場所において行われる。そして、ペイントコンビニエンス・スペースは、基本的には、適当な商用環境の地面上又は床面上に設置される。「適当な商用環境」とは、前記のように、任意の各種大型店舗の屋内売り場スペース、任意の各種店舗の屋外スペース（駐車場、付設グラウンド等）等が好ましく例示される。
【００６０】
ペイントの対面販売方法を、（ａ）ホームセンターの駐車場に設置された移動可能な車両上に構成されている前記ペイントコンビニエンス・スペース、（ｂ）ホームセンターの駐車場の地面上又は床面上に組立てられているペイントコンビニエンス・スペース、（ｃ）ホームセンターの店舗内の地面上又は床面上に組立てられているペイントコンビニエンス・スペース、のいずれかにおいて行うことが、とりわけ好ましい。
【００６１】
〔参考発明〕
次に、本願発明に係るペイントコンビニエンス・スペースの利用に関連して、単なるペイント販売行為と、通常の請け負い業者による塗装作業との中間の形態に相当する新規な業務形態である参考発明について述べる。
【００６２】
この参考発明においては、ペイント商品（あるいは、更に塗装器具）を購入した消費者に対して、そのペイント商品（あるいは更に塗装器具）を用いて、消費者の所有物である被塗装物に対する塗装作業を完遂する。この作業は、上記のペイントコンサルティング要員又はこれに相当する指導能力を有する指導員が自ら塗装作業の手本を示し、あるいはその教習下に消費者にも作業させて、消費者と一緒になって行うものである。
【００６３】
かかる塗装作業を実行することにより、第１に、消費者は自らペインティングを楽しみつつ良好な仕上がりの被塗装物を得ることができ、第２に、そのような作業を通じて消費者は高度なペイント技能を身に付けることができ、第３に、ペイント技能に通じた消費者を増大させることでペイント商品に対する需要を発掘あるいは拡大させることができる。更に、この作業において仮に消費者にコンサルティングフィーを請求するとしても、単に請け負い業者に塗装作業を依頼する場合に比較して、料金額を低廉化することが可能になる。
【００６４】
上記の参考発明は、前記した本願発明に係るペイントの対面販売方法により、ペイントコンサルティング要員の助言、指導、協力を通じてペイント商品や塗装器具を購入した消費者に対して行うこともできるし、単にペイントコンビニエンス・スペースを訪問してペイント商品や塗装器具を購入しただけの消費者に対して行うこともできるし、更に、ペイントコンビニエンス・スペースにおける上記ペイントの対面販売方法とは直接の関係なく、ペイントの販売促進を目的とする独立した業務形態として行うこともできる。
【００６５】
又、上記の参考発明は、ペイントコンサルティング要員又は上記の指導員が消費者の自宅あるいは塗装現場に出張して行うこともできるし、消費者が被塗装物を持参（例えば、ペイントコンビニエンス・スペースに持参）したもとで、ペイントコンビニエンス・スペース等において行うこともできる。
【実施例】
【００６６】
次に、本発明の一実施例を図１に基づいて説明する。この実施例に係るペイントコンビニエンス・スペースは、ホームセンターの屋外駐車場の地面上に、５〜６台分の駐車スペースを使用して組み立てられたものであるが、この実施例によって本発明の技術的範囲が限定されないことは、もち論である。
【００６７】
図１は、本実施例に係るペイントコンビニエンス・スペース１の構成を間取り図によって示したものである。ペイントコンビニエンス・スペース１の外形を構成するスペース体２は、長方形の平面形状を有し、小規模な家屋又は店舗の形態を有する。
【００６８】
スペース体２は、その側面部においてフレーム状の支柱３と、これらの支柱３間に設けた壁面材４を備え、かつ、底面部には床面材５を、図示省略の天井部には天板材を備えている。側面部の一部は壁面材４がなく、来客が自由に出入りするためのオープンスペース６とされている。又、壁面材４の一部には、勝手口となる入室／退室用のドア７が設けられている。
【００６９】
壁面材４は、詳細な図示は省略するが、その外部壁面側及び内部壁面側の一部又は全部において、前記したような態様でペイント実演用の板材又はシート材が容易に取付け／取外し可能に組込まれている。床面材５及び天板材の一部又は全部にも、同様の態様でペイント実演用の板材又はシート材が取付け／取外し可能に組込まれている。
【００７０】
スペース体２の内部には、ペイント商品のディスプレイエリア８が設定され、ペイントの調合機９が設置され、上記オープンスペース６に面して来客応接用の対面カウンター１０（複数の椅子を付設する）が設置され、かつ、事務スペース１１が設定されている。事務スペース１１では事務要員が執務し、かつペイントコンサルティング要員が待機している。更に、スペース体２の内部の一隅には、ペイント実演を行うための実演スペース１２が設定されている。
【００７１】
以上のペイントコンビニエンス・スペース１を用いて、ペイントの対面販売方法は以下のように行われる。
【００７２】
まず、ホームセンターへの来客をペイントコンビニエンス・スペース１に誘致する。この誘致は、いわゆる呼び込みを行っても良いし、関心を引かれた来客が自発的に誘致されるのを待っても良い。
【００７３】
誘致された来客に対して、最初に、対面カウンター１０にて応接し、ペイントに関する来客の意見又は要望を聴取する。あるいは、その際にペイントコンサルティング要員が来客にペイント商品やその使用法の説明を行い、更には専門家としての適宜なアドバイスを与える。
【００７４】
次に、上記の意見又は要望の聴取結果やペイントコンサルティングの結果に基づき、ペイントコンサルティング要員がディスプレイエリア８より好適なペイント商品（又はそれらの組み合わせ）を取捨選択し、ペイントの調合機９を用いてペイントを調色する。
【００７５】
そして、上記の調色されたペイントを用いて、実演スペース１２においてペイント実演を行う。ペイント実演はペイントコンサルティング要員が行っても良いし、ペイントコンサルティング要員の指導下に来客に行わせても良い。ペイント実演の対象物としては、前記ペイント実演用の板材又はシート材を壁面材４、床面材５、天井材等から取り外して用いても良いし、ペイントコンビニエンス・スペース１内に配置しておいた家具調度品等を用いても良い。
【００７６】
上記の板材又はシート材を用いてペイント実演を行った場合には、その後に、来客に実際の仕上がり感覚を確認させるため、板材又はシート材を壁面材４、床面材５、天井材等に元の状態のままに取り付けても良い。更に、必要な場合には、壁面材４、床面材５、天井材等に取り付けた板材又はシート材の大部分あるいは全部を、そのままの状態でペイント実演の対象とすることもできる。
【００７７】
壁面材４の外部壁面側に取り付けた板材又はシート材の大部分あるいは全部をペイント実演の対象とする場合は、かなり大変な作業にはなるが、大口の注文を見込める顧客に対しては実演する価値があるし、顧客にとっても壁面全体の実際の仕上がり感覚を確認できることは大きなメリットである。更に、ホームセンターへの来客全体に対しても、このような実演は極めて誘致力の強いパフォーマンスとなる。
【００７８】
こうして、ペイントコンビニエンス・スペースを利用したペイントコンサルティングやペイント実演等の行き届いたサービスのもとに、客の十分な納得を得たもとで、ペイント商品の販売促進を行うことができるのである。
【産業上の利用可能性】
【００７９】
本発明は、ペイント商品に特化した装備及び機能を有するスペースによって、近年のライフスタイルの欧米化に伴う個性的なペインティングに即したペイント商品の販売促進を可能とする。
【図面の簡単な説明】
【００８０】
【図１】本発明の一実施例の簡略化した平面図である。
【符号の説明】
【００８１】
１          ペイントコンビニエンス・スペース
２          スペース体
３          支柱
４          壁面材
５          床面材
６          オープンスペース
７          ドア
８          ディスプレイエリア
９          調合機
１０        対面カウンター
１１        事務スペース
１２        実演スペース
【図１】
2005042383.tif 000003